(57)【特許請求の範囲】
【請求項１】
複数のガスを検知可能なガス検知部と、
前記複数のガスの各々の検知結果を同時に表示する第１の表示状態で表示可能な表示部と、を備え、
前記複数のガスのうちの一部のガスである、所定のガスの濃度が、警報閾値を超えることのない範囲である第１の範囲を超える場合において、前記所定のガスの検知結果は前記表示部に表示されずに前記所定のガス以外の表示対象ガスの検知結果が前記表示部に拡大表示される第２の表示状態に切り替わるように構成されている、警報器。
【請求項２】
複数のガスを検知可能なガス検知部と、
前記複数のガスの各々の検知結果を同時に表示する第１の表示状態で表示可能な表示部と、を備え、
前記複数のガスのうちの一部のガスである、所定のガスの濃度が第１の範囲を超える場合、および、前記所定のガス以外のガスを表示対象ガスとしてユーザが選択した場合の少なくとも一方の場合において、前記所定のガスの検知結果は前記表示部に表示されずに前記所定のガス以外の前記表示対象ガスの検知結果が前記表示部に拡大表示される第２の表示状態に切り替わるように構成され、
前記第２の表示状態において、前記所定のガスの濃度が第２の範囲内になった場合には、前記表示対象ガスの検知結果に加えて前記所定のガスの検知結果も前記表示部に表示される前記第１の表示状態に戻るように構成されている、警報器。
【請求項３】
複数のガスを検知可能なガス検知部と、
前記複数のガスの各々の検知結果を同時に表示する第１の表示状態で表示可能な表示部と、を備え、
前記複数のガスのうちの一部のガスである、所定のガスの濃度が第１の範囲を超える場合、および、前記所定のガス以外のガスを表示対象ガスとしてユーザが選択した場合の少なくとも一方の場合において、前記所定のガスの検知結果は前記表示部に表示されずに前記所定のガス以外の前記表示対象ガスの検知結果が前記表示部に拡大表示される第２の表示状態に切り替わるように構成され、
前記表示部は、複数のセグメントから構成され、前記複数のガスの各々のガスの検知結果をそれぞれ表示する複数の表示領域を含み、
前記表示対象ガスの数が前記表示領域の前記複数のセグメントを組み合わせて拡大表示可能な数以下である場合には、前記第２の表示状態に切り替わるとともに前記第２の表示状態が維持される一方、前記表示対象ガスの数が前記表示領域の前記複数のセグメントを組み合わせて拡大表示可能な数を超える場合には、第２時間の期間だけ前記第２の表示状態に切り替わるように構成されている、警報器。
【請求項４】
検知される前記所定のガスの濃度が前記第１の範囲を超える場合が第１時間または所定の検知回数継続した場合に、前記第２の表示状態に切り替わるように構成されている、請求項１〜３のいずれか１項に記載の警報器。
【発明の詳細な説明】
【技術分野】
【０００１】
この発明は、警報器に関し、特に、複数のガスを検知可能なガス検知部を備える警報器に関する。
【背景技術】
【０００２】
従来、複数のガスを検知可能なガス検知部を備える警報器が知られている（たとえば、特許文献１参照）。
【０００３】
上記特許文献１には、４つのガスセンサと、４つのガスセンサの検知結果が同時に表示される表示部と、ガスの検知をユーザに報知するためのガス検知報知機構とを備える可搬式ガス警報器が開示されている。この可搬式ガス警報器では、表示部において、４つのガスセンサの検知結果が略同じ大きさの表示領域に同時に表示されている。
【先行技術文献】
【特許文献】
【０００４】
【特許文献１】特開２００９−２８１９８２号公報
【発明の概要】
【発明が解決しようとする課題】
【０００５】
しかしながら、上記特許文献１に記載の可搬式ガス警報器では、４つのガスセンサの検知結果が略同じ大きさの表示領域に同時に表示されるため、たとえば、所定のガスの濃度が問題ない程度であり、濃度を認識する必要性が低いことが明らかな環境下においても、その所定のガスの検知結果も表示部に表示されてしまうという不都合がある。このため、ユーザは濃度を認識する必要性の高いガスの検知結果を認識しにくいという問題点があると考えられる。
【０００６】
この発明は、上記のような課題を解決するためになされたものであり、この発明の１つの目的は、ユーザに濃度を認識させる必要性の高い表示対象ガスの検知結果を認識させやすくすることが可能な警報器を提供することである。
【課題を解決するための手段】
【０００７】
この発明の第１の局面による警報器は、複数のガスを検知可能なガス検知部と、複数のガスの各々の検知結果を同時に表示する第１の表示状態で表示可能な表示部と、を備え、複数のガスのうちの一部のガスである、所定のガスの濃度が、警報閾値を超えることのない範囲である第１の範囲を超える場合において、所定のガスの検知結果は表示部に表示されずに所定のガス以外の表示対象ガスの検知結果が表示部に拡大表示される第２の表示状態に切り替わるように構成されている。
【０００８】
この発明の第１の局面による警報器では、上記のように、所定のガスの濃度が第１の範囲を超える場合に、所定のガスの検知結果は表示部に表示されずに所定のガス以外の表示対象ガスの検知結果が表示部に拡大表示される第２の表示状態に切り替わるように構成する。これにより、所定のガスの濃度が第１の範囲を超えており、ユーザに所定のガスの検知結果を示して濃度を認識させる必要性が低い場合には、所定のガスを表示せずに表示対象ガスの検知結果を表示部に拡大表示することができるので、ユーザに濃度を認識させる必要性の高い表示対象ガスの検知結果を認識させやすくすることができる。
【０００９】
この発明の第２の局面による警報器は、複数のガスを検知可能なガス検知部と、複数のガスの各々の検知結果を同時に表示する第１の表示状態で表示可能な表示部と、を備え、複数のガスのうちの一部のガスである、所定のガスの濃度が第１の範囲を超える場合、および、所定のガス以外のガスを表示対象ガスとしてユーザが選択した場合の少なくとも一方の場合において、所定のガスの検知結果は表示部に表示されずに所定のガス以外の表示対象ガスの検知結果が表示部に拡大表示される第２の表示状態に切り替わるように構成され、所定のガスの濃度が第２の範囲内になった場合には、表示対象ガスの検知結果に加えて所定のガスの検知結果も表示部に表示される第１の表示状態に戻るように構成されている。
この発明の第２の局面による警報器では、上記のように、所定のガスの濃度が第１の範囲を超える場合に、所定のガスの検知結果は表示部に表示されずに所定のガス以外の表示対象ガスの検知結果が表示部に拡大表示される第２の表示状態に切り替わるように構成する。これにより、所定のガスの濃度が第１の範囲を超えており、ユーザに所定のガスの検知結果を示して濃度を認識させる必要性が低い場合には、所定のガスを表示せずに表示対象ガスの検知結果を表示部に拡大表示することができるので、ユーザに濃度を認識させる必要性の高い表示対象ガスの検知結果を認識させやすくすることができる。また、ユーザが所定のガス以外のガスを表示対象ガスとして選択した場合に第２の表示状態に切り替えるように構成することによって、ユーザ自身が濃度を認識する必要性の高いと判断した表示対象ガスの検知結果をユーザに認識させやすくすることができる。また、表示部に表示されていない所定のガスの濃度が第２の範囲内になってユーザに認識させる必要が生じる程度まで大きくなった場合に、所定のガスの検知結果が表示部に表示される第１の表示状態に戻すことができるので、ユーザに濃度を認識させる必要性がある程度高くなった所定のガスの検知結果を認識させることができる。
この発明の第３の局面による警報器は、複数のガスを検知可能なガス検知部と、複数のガスの各々の検知結果を同時に表示する第１の表示状態で表示可能な表示部と、を備え、複数のガスのうちの一部のガスである、所定のガスの濃度が第１の範囲を超える場合、および、所定のガス以外のガスを表示対象ガスとしてユーザが選択した場合の少なくとも一方の場合において、所定のガスの検知結果は表示部に表示されずに所定のガス以外の表示対象ガスの検知結果が表示部に拡大表示される第２の表示状態に切り替わるように構成され、表示部は、複数のセグメントから構成され、複数のガスの各々のガスの検知結果をそれぞれ表示する複数の表示領域を含み、表示対象ガスの数が表示領域の複数のセグメントを組み合わせて拡大表示可能な数以下である場合には、第２の表示状態に切り替わるとともに第２の表示状態が維持される一方、表示対象ガスの数が表示領域の複数のセグメントを組み合わせて拡大表示可能な数を超える場合には、第２時間の期間だけ第２の表示状態に切り替わるように構成されている。
この発明の第３の局面による警報器では、上記のように、所定のガスの濃度が第１の範囲を超える場合に、所定のガスの検知結果は表示部に表示されずに所定のガス以外の表示対象ガスの検知結果が表示部に拡大表示される第２の表示状態に切り替わるように構成する。これにより、所定のガスの濃度が第１の範囲を超えており、ユーザに所定のガスの検知結果を示して濃度を認識させる必要性が低い場合には、所定のガスを表示せずに表示対象ガスの検知結果を表示部に拡大表示することができるので、ユーザに濃度を認識させる必要性の高い表示対象ガスの検知結果を認識させやすくすることができる。また、ユーザが所定のガス以外のガスを表示対象ガスとして選択した場合に第２の表示状態に切り替えるように構成することによって、ユーザ自身が濃度を認識する必要性の高いと判断した表示対象ガスの検知結果をユーザに認識させやすくすることができる。また、表示対象ガスの検知結果を同時に拡大表示することができる場合には、表示対象ガスの検知結果を拡大表示するとともに拡大表示を維持することによって、ユーザに濃度を認識させる必要性の高い表示対象ガスの検知結果を認識させやすくすることができる。また、表示対象ガスの検知結果を同時に拡大表示することができない場合には、第２時間の期間だけ表示対象ガスの検知結果を拡大表示してユーザに表示対象ガスの検知結果を容易に認識させつつ、第２時間の期間経過後には、表示対象ガスを含む全てのガスの検知結果を表示部に同時に表示することにより、全ての表示対象ガスの検知結果をユーザに同時に認識させることができる。
【００１０】
上記第１、第２または第３の局面による警報器において、好ましくは、検知される所定のガスの濃度が第１の範囲を超える場合が第１時間または所定の検知回数継続した場合に、第２の表示状態に切り替わるように構成されている。このように構成すれば、ユーザに所定のガスの濃度を認識させる必要性が低いことが十分に確認された後で第２の表示状態に切り替えることができるので、一時的な濃度の変動に起因して濃度を認識させる必要性の高いガスの検知結果が表示部に表示されなくなるのを抑制することができる。
【発明の効果】
【００１２】
本発明によれば、上記のように、ユーザに濃度を認識させる必要性の高い表示対象ガスの検知結果を認識させやすくすることができる。
【図面の簡単な説明】
【００１３】
【図１】本発明の一実施形態による警報器を示した斜視図である。
【図２】本発明の一実施形態による警報器の構成を示したブロック図である。
【図３】本発明の一実施形態による警報器の表示部におけるセグメントをすべて点灯した状態を示した図である。
【図４】本発明の一実施形態による警報器の表示部での第１の表示状態を示した図である。
【図５】本発明の一実施形態による警報器の表示部での１種のガスの検知結果が拡大表示される第２の表示状態を示した図である。
【図６】本発明の一実施形態による警報器の表示部での２種のガスの検知結果が同時に拡大表示される第２の表示状態を示した図である。
【図７】本発明の一実施形態による警報器の表示部での２種のガスの検知結果が同時に拡大表示される第２の表示状態を示した図である。
【図８】本発明の一実施形態による警報器の表示部での警報表示状態を示した図である。
【図９】本発明の一実施形態による警報器での表示制御処理フローを示した図である。
【発明を実施するための形態】
【００１４】
以下、本発明を具体化した実施形態を図面に基づいて説明する。
【００１５】
まず、図１および図２を参照して、本発明の一実施形態による警報器１００の全体構成について説明する。
【００１６】
本発明の一実施形態による警報器１００は、４種のガス（可燃性ガス（ｃｏｍｂｕｓｔｉｂｌｅ  ｇａｓ、ＣＯＭＢ）、酸素（Ｏ２）、硫化水素（Ｈ２Ｓ）、および、一酸化炭素（ＣＯ））を検知可能なガス警報器である。この警報器１００は、可搬型であり図示しない電池によって駆動される。
【００１７】
警報器１００は、図１に示すように、携帯可能な大きさの警報器本体１と、警報器本体１の下側（Ｚ２側）に設けられたセンサ部２と、警報器本体１の正面側（Ｘ１側）に設けられた表示部３、ＬＥＤ部４、警報ランプ部５および操作部６とを備えている。また、図２に示すように、警報器本体１の内部には、ブザー部７と、制御部８と、記憶部９とが配置されている。なお、センサ部２は、本発明の「ガス検知部」の一例である。
【００１８】
警報器本体１は、図１に示すように、直方体の外観形状を有している。また、センサ部２は、可燃性ガスを検知する接触燃焼式の可燃性ガスセンサ２１と、一酸化炭素を検知する定電位電解式のＣＯセンサ２２と、硫化水素を検知する定電位電解式のＨ２Ｓセンサ２３と、酸素を検知するガルバニ電池式のＯ２センサ２４とを含んでいる。この結果、センサ部２は、複数（４種）のガスを検知可能に構成されている。なお、４つのセンサ２１〜２４は、警報器本体１の下側（Ｚ２側）にＹ方向に並ぶように設けられた４つのガス検知口２ａの内部にそれぞれ配置されている。
【００１９】
ここで、４種のガスのうち、可燃性ガス、硫化水素および一酸化炭素に関しては、濃度が大きくなるにしたがって危険性が大きくなる一方、酸素に関しては、所定の濃度よりも濃度が小さくなるにしたがって危険性が大きくなる。
【００２０】
表示部３は、Ｘ１側から見て、横方向（Ｙ方向）に長い矩形形状を有している。また、表示部３には、暗所であっても表示部３の表示を確認可能にするためのバックライト３ａ（図２参照）が設けられている。
【００２１】
ＬＥＤ部４は、表示部３の下方（Ｚ２側）に設けられている。このＬＥＤ部４では、４つの色の異なるＬＥＤ４１〜４４がＹ方向に並ぶように配置されている。具体的には、ＬＥＤ部４では、Ｙ１側からＹ２側に向かって、可燃性ガスに対応する可燃性ガス用ＬＥＤ４１、一酸化炭素に対応するＣＯ用ＬＥＤ４２、硫化水素に対応するＨ２Ｓ用ＬＥＤ４３、および、酸素に対応するＯ２用ＬＥＤ４４がこの順に配置されている。なお、この４つのＬＥＤ４１〜４４には、それぞれ、可燃性ガス、酸素、硫化水素および一酸化炭素に対応する色のＬＥＤが用いられている。このＬＥＤ部４は、ガスに対応するＬＥＤを点灯または点滅させることによって、ＬＥＤに対応するガスが何らかの状態であることをユーザに認識させやすくする機能を有している。
【００２２】
警報ランプ部５は、Ｙ方向の両側端部にそれぞれ設けられている。この警報ランプ部５は、赤色ＬＥＤ（図示せず）を含んでおり、警報時に赤色ＬＥＤが点灯または点滅することによって、警報をユーザに報知する機能を有している。
【００２３】
操作部６は、表示部３とＬＥＤ部４との間に設けられている。この操作部６は、一対のボタン部６１を含んでいる。ユーザは、ボタン部６１を操作することによって、警報器１００に対する種々の指示を行うことが可能である。特に、警報器１００では、ユーザが操作部６を操作することによって、４種のガスのうち表示部３に検知結果を表示するガス（表示対象ガス）を選択可能なように構成されている。この際、表示部３に表示される図示しないメニュー画面などからユーザは表示対象ガスを選択するように構成されている。
【００２４】
図２に示すように、ブザー部７は、警報時にブザー音を発生させることによって、警報をユーザに報知する機能を有している。制御部８は、図示しないＣＰＵなどを含み、後述する拡大表示（第２の表示状態）に関する制御を含む警報器１００全体の制御を行うように構成されている。また、制御部８は、所定の時間（たとえば、１分）毎に、センサ部２から４種のガスの検知結果を取得して、取得したガスの検知結果を表示部３に表示するように構成されている。なお、表示部３における検知結果の具体的な表示については後述する。記憶部９は、図示しないＲＯＭやＲＡＭを含み、制御部８の制御において用いられる各種データやプログラムなどが記憶されている。
【００２５】
次に、図３を参照して、表示部３の表示内容の詳細について説明する。
【００２６】
表示部３は、図３に示すように、所定の位置に各々配置された複数のセグメント３ｂから構成されている。このセグメント３ｂは、線状、点状、文字状、アイコン形状などの種々の形状を有している。また、セグメント３ｂは、図示しない液晶を有しており、液晶が切り替えられることによって、対応する形状（図３〜図８では、黒塗り部分に該当）が表示部３に表示されるように構成されている。なお、表示部３を複数のセグメント３ｂから構成することによって、複数の微細な画素がマトリックス状に配置された一般的な表示部と比べて、駆動電圧を低くすることができるので、例えば容易に防爆仕様とすることができる。
【００２７】
また、表示部３は、４種のガスの検知結果がそれぞれ表示される４つの表示領域３１〜３４と、電池（電源）の状態などの情報に対応するアイコンが表示されるアイコン表示領域３５と、その他の情報が表示される情報表示領域３６とを含んでいる。具体的には、４つの表示領域３１〜３４として、可燃性ガスの検知結果が表示される可燃性ガス表示領域３１、酸素の検知結果が表示されるＯ２表示領域３２、硫化水素の検知結果が表示されるＨ２Ｓ表示領域３３、および、一酸化炭素の検知結果が表示されるＣＯ表示領域３４が表示部３に設けられている。なお、可燃性ガス表示領域３１、Ｏ２表示領域３２、Ｈ２Ｓ表示領域３３、および、ＣＯ表示領域３４は、本発明の「表示領域」の一例である。
【００２８】
可燃性ガス表示領域３１は、表示部３のＹ１側で、かつ、Ｚ１側に設けられている。また、可燃性ガス表示領域３１は、Ｚ２側の結果表示領域３１ａと、Ｚ１側の文字表示領域３１ｂとを含んでいる。結果表示領域３１ａは、７つのセグメント３ｂが組み合わされて、アラビア数字の「８」の形状を有する４つの７セグメントと、７セグメントの間に一対配置される点部とを表示可能に構成されている。なお、４つの７セグメントは、Ｙ方向に並んで配置されている。
【００２９】
また、７つのセグメント３ｂの液晶が各々制御されることによって、結果表示領域３１ａの４つの７セグメントは、各々、０〜９までのアラビア数字やアルファベットを表示可能なように構成されている。これにより、結果表示領域３１ａでは、４つのセグメントと点部とを用いることによって、小数点第３桁（たとえば、０．０００）から４桁（たとえば、９９９９）までの数字を表示することが可能であり、この結果、結果表示領域３１ａは、可燃性ガスの検知結果（濃度）の数値（０〜１００（％ＬＥＬ））を表示可能に構成されている。
【００３０】
文字表示領域３１ｂは、可燃性ガスを意味する「ＣＯＭＢ」と、検知された可燃性ガスの濃度（％ＬＥＬ）が可燃性ガスに設定された第１の警報閾値を超える場合（第１段階の警報の場合）に点灯される「ＡＬ１」と、第１の警報閾値よりも大きな第２の警報閾値を超える場合（第２段階の警報の場合）に点灯される「ＡＬ２」と、可燃性ガスの単位「％ＬＥＬ」とを表示可能に構成されている。なお、第２段階の警報は、第１段階の警報よりも、ブザーの周期や音量を変更、例えばブザー周期を短くしたり、音量を大きくしたりするなどユーザにより認識されやすいように設定されている。
【００３１】
Ｏ２表示領域３２は、表示部３のＹ１側で、かつ、Ｚ２側に設けられている。また、Ｏ２表示領域３２は、Ｚ１側の結果表示領域３２ａと、Ｚ２側の文字表示領域３２ｂとを含んでいる。結果表示領域３２ａは、結果表示領域３１ａと略同様の構成を有しており、この結果、結果表示領域３２ａは、酸素の検知結果（濃度）の数値（００．０〜５０．０（ｖｏｌ％））を表示可能に構成されている。文字表示領域３２ｂは、酸素を意味する「Ｏ２」と、検知された酸素濃度（ｖｏｌ％）が酸素に設定された第１の警報閾値を下回る場合（第１段階の警報の場合）に点灯される「ＡＬ１」と、第１の警報閾値よりも小さな第２の警報閾値を下回る場合（第２段階の警報の場合）に点灯される「ＡＬ２」と、酸素の単位「ｖｏｌ％」とを表示可能に構成されている。
【００３２】
Ｈ２Ｓ表示領域３３は、表示部３のＹ２側で、かつ、Ｚ１側に設けられている。また、Ｈ２Ｓ表示領域３３は、Ｚ２側の結果表示領域３３ａと、Ｚ１側の文字表示領域３３ｂとを含んでいる。結果表示領域３３ａは、結果表示領域３１ａと略同様の構成を有しており、この結果、結果表示領域３３ａは、硫化水素の検知結果（濃度）の数値（０００．０〜１５０．０（ｐｐｍ））を表示可能に構成されている。文字表示領域３３ｂは、硫化水素を意味する「Ｈ２Ｓ」と、検知された硫化水素濃度（ｐｐｍ）が硫化水素に設定された第１の警報閾値を超える場合（第１段階の警報の場合）に点灯される「ＡＬ１」と、第１の警報閾値よりも大きな第２の警報閾値を超える場合（第２段階の警報の場合）に点灯される「ＡＬ２」と、硫化水素の単位「ｐｐｍ」とを表示可能に構成されている。
【００３３】
ＣＯ表示領域３４は、表示部３のＹ２側で、かつ、Ｚ２側に設けられている。また、ＣＯ表示領域３４は、Ｚ１側の結果表示領域３４ａと、Ｚ２側の文字表示領域３４ｂとを含んでいる。結果表示領域３４ａは、結果表示領域３１ａと略同様の構成を有しており、この結果、結果表示領域３４ａは、一酸化炭素の検知結果（濃度）の数値（００００〜２０００（ｐｐｍ））を表示可能に構成されている。文字表示領域３４ｂは、一酸化炭素を意味する「ＣＯ」と、検知された一酸化炭素濃度（ｐｐｍ）が一酸化炭素濃度に設定された第１の警報閾値を超える場合（第１段階の警報の場合）に点灯される「ＡＬ１」と、第１の警報閾値よりも大きな第２の警報閾値を超える場合（第２段階の警報の場合）に点灯される「ＡＬ２」と、一酸化炭素の単位「ｐｐｍ」とを表示可能に構成されている。なお、文字表示領域３４ｂでは、一酸化炭素の単位（硫化水素の単位、ｐｐｍ）の他に、可燃性ガスの単位（％ＬＥＬ）および酸素の単位（ｖｏｌ％）も表示可能に構成されている。
【００３４】
また、図３に示すように、結果表示領域３１ａ〜３４ａは、共に、表示部３の中央部側に設けられている。これにより、可燃性ガス表示領域３１の結果表示領域３１ａは、Ｚ２側でＯ２表示領域３２の結果表示領域３２ａと隣接するとともに、Ｙ２側でＨ２Ｓ表示領域３３の結果表示領域３３ａと隣接している。また、Ｏ２表示領域３２の結果表示領域３２ａは、Ｙ２側でＣＯ表示領域３４の結果表示領域３４ａと隣接している。また、Ｈ２Ｓ表示領域３３の結果表示領域３３ａは、Ｚ２側でＣＯ表示領域３４の結果表示領域３４ａと隣接している。
【００３５】
アイコン表示領域３５は、表示部３のＹ１側の側端部近傍に設けられている。また、アイコン表示領域３５は、Ｚ１側からＺ２側に向かって順に、電池の残量を示す電池アイコン、ガスの検知結果のうちの最大の検知結果の値のみを表示するモードがユーザに選択された際に表示されるＰＥＡＫアイコン、消費電力を削減するモードがユーザに選択された際に表示されるｅｃｏアイコン、ブザー音を発生させないモードがユーザに選択された際に表示されるミュートアイコン、および、図示しない無線部を用いた無線通信状態であることを示す通信アイコンが表示可能に構成されている。
【００３６】
情報表示領域３６は、表示部３のＺ２側の側端部近傍に設けられている。また、情報表示領域３６は、１６つのセグメント３ｂが組み合わされた８つの１６セグメントと、１６セグメントの間などに配置される点部とを表示可能に構成されている。なお、８つの１６セグメントは、Ｙ方向に並んで配置されている。この結果、１６つのセグメント３ｂの点灯の有無が各々制御されることによって、情報表示領域３６の８つの１６セグメントは、各々、０〜９までのアラビア数字やアルファベットを７セグメントよりも緻密に表示可能なように構成されている。なお、図４に示すように、情報表示領域３６には、日時や気温、後述する拡大表示された表示対象ガスまたは警報対象ガスの種別（図５および図８参照）などが表示可能なように構成されている。
【００３７】
また、情報表示領域３６のＹ２側には、丸形状表示部３７が設けられている。この丸形状表示部３７は、警報器１００に後付の機能を追加した場合に、丸形状表示部３７の有無によって、追加した機能が稼働しているか否かをユーザが認識可能なように構成されている。
【００３８】
この結果、図４に示すように、警報器１００（図１参照）では、表示部３において、４種のガスの各々の検知結果が同時に表示部３に表示される第１の表示状態で表示することが可能に構成されている。この第１の表示状態では、４つの結果表示領域３１ａ〜３４ａのそれぞれに、対応するガスの検知結果が数値として表示されている。また、情報表示領域３６には、日時や温度が表示され、文字表示領域３１ｂ〜３４ｂには、それぞれ、対応するガスの種別および単位が表示される。
【００３９】
ここで、表示部３では、結果表示領域３１ａ〜３４ａの複数のセグメント３ｂを組み合わせて、ガスの検知結果を第１の表示状態における表示よりも拡大して表示することが可能に構成されている。具体的には、１種のガス（たとえば、酸素）の検知結果のみが拡大表示される第２の表示状態では、図５に示すように、結果表示領域３１ａ〜３４ａの７セグメントおよび点部が組み合わされることによって、ガス（酸素）の検知結果（濃度）の数値（２０．０（ｖｏｌ％））が拡大表示される。この際、情報表示領域３６には、拡大表示された表示対象ガス（酸素）の種別（Ｏ２）が表示され、文字表示領域３４ｂには、拡大表示された表示対象ガスの単位が表示される。
【００４０】
また、２種のガス（たとえば、可燃性ガスおよび硫化水素）の検知結果が上下方向（Ｚ方向）に拡大表示される第２の表示状態では、図６に示すように、２種のガスの検知結果がＹ方向に並んで拡大表示される。具体的には、Ｚ方向に隣接する結果表示領域３１ａおよび３２ａの７セグメントおよび点部が組み合わされることによって、一方の表示対象ガス（可燃性ガス）の検知結果（９（％ＬＥＬ））がＺ方向に拡大表示されるとともに、Ｚ方向に隣接する結果表示領域３３ａおよび３４ａの７セグメントおよび点部が組み合わされることによって、他方の表示対象ガス（硫化水素）の検知結果（４．０（ｐｐｍ））がＺ方向に拡大表示される。この際、情報表示領域３６には、日時や温度が表示され、２種の表示対象ガス（可燃性ガスおよび硫化水素）にそれぞれ対応する２つの文字表示領域（文字表示領域３４ａおよび３４ｃ）には、対応する表示対象ガスの単位がそれぞれ表示される。
【００４１】
また、２種のガス（たとえば、硫化水素および一酸化炭素）の検知結果が左右方向（Ｙ方向）に拡大表示される第２の表示状態では、図７に示すように、２種のガスの検知結果がＺ方向に並んで拡大表示される。具体的には、Ｙ方向に隣接する結果表示領域３１ａおよび３３ａの７セグメントおよび点部が組み合わされることによって、一方の表示対象ガス（硫化水素）の検知結果（９．５（ｐｐｍ））がＹ方向に拡大表示されるとともに、Ｙ方向に隣接する結果表示領域３２ａおよび３４ａの７セグメントおよび点部が組み合わされることによって、他方の表示対象ガス（一酸化炭素）の検知結果（３７（ｐｐｍ））がＹ方向に拡大表示される。なお、情報表示領域３６と２つの文字表示領域とに表示される内容は、図６と同様である。
【００４２】
この結果、表示部３では、結果表示領域３１ａ〜３４ａの複数のセグメント３ｂを組み合わせて拡大表示可能なガスの検知結果の数（拡大表示可能数）は、２つ以下になる。なお、表示部３において拡大表示する際には、拡大表示されたガスに対応するＬＥＤ部４のＬＥＤ４１〜４４を点灯または点滅させるように構成してもよい。これにより、拡大表示されたガスの種類をユーザにより確実に認識させることが可能である。
【００４３】
また、４種のガスのうち酸素を除く所定のガスの濃度が対応する第１の警報閾値を超えた場合、または、酸素の濃度が対応する第１の警報閾値を下回った場合（警報時）には、警報器１００では、図８に示すように、警報表示状態に切り替わるように構成されている。なお、警報表示状態では、警報対象ガス（たとえば、硫化水素）の検知結果（９４．０（ｐｐｍ））のみが表示部３に拡大表示される拡大表示状態と第１の表示状態とが、所定時間（たとえば、１秒）毎に切り替わるように構成されている。
【００４４】
なお、警報対象ガスの数が２つ（拡大表示可能数以下）の場合には、２種の警報対象ガスの検知結果が表示部３に同時に拡大表示される拡大表示状態と第１の表示状態とが、所定時間毎に切り替わるように構成されている。また、警報対象ガスの数が拡大表示可能数を超える（３つ以上）場合には、所定の期間だけ拡大表示状態になり、所定の期間経過後に第１の表示状態に切り替わるように構成されている。なお、所定の期間における拡大表示状態では、１種の警報対象ガスの検知結果が拡大表示される状態が警報対象ガス毎に切り替わる。
【００４５】
ここで、本実施形態では、警報器１００は、ユーザにより所定のガス以外のガスが表示対象ガスとして選択された場合に、制御部８の制御により、図５〜図７に示す所定のガス（非表示対象ガス）の検知結果は表示部３に表示されずに非表示対象ガス以外の表示対象ガスの検知結果が表示部３に拡大表示される第２の表示状態に、図４に示す４種のガスの各々の検知結果を同時に表示する第１の表示状態から切り替わるように構成されている。なお、第２の表示状態には、第１の表示状態におけるガスの検知結果よりもガスの検知結果が拡大して表示される場合の全てが含まれる。
【００４６】
また、警報器１００は、４種のガスのうちの所定のガスの濃度が所定のガスに対応する表示範囲を超える場合で、かつ、所定のガスの濃度が表示範囲を超える状態が非表示判断時間（たとえば、４０時間）継続した場合に、制御部８の制御により、第２の表示状態に第１の表示状態から切り替わるように構成されている。なお、４種のガスのうち酸素を除く所定のガスにおいて、表示範囲は、０から表示閾値までの範囲に設定されている。ここで、酸素を除く所定のガスの各々の表示閾値は、酸素を除く所定のガスの各々の第１の警報閾値よりも小さい値にそれぞれ設定されている。また、酸素において、表示範囲は、表示閾値から所定の上限値（たとえば、５０．０（ｖｏｌ％））までの範囲に設定されている。なお、酸素の表示閾値は、第１の警報閾値よりも大きな値に設定されている。また、表示範囲は、本発明の「第１の範囲」および「第２の範囲」の一例であり、非表示判断時間は、本発明の「第１時間」の一例である。
【００４７】
言い換えると、４種のガスのうち酸素を除く所定のガスにおいては、所定のガスの濃度が所定のガスに対応する表示閾値を超える場合で、かつ、所定のガスの濃度が表示閾値を超える状態が非表示判断時間継続した場合に、第２の表示状態に切り替わるように構成されている。また、酸素においては、酸素の濃度が酸素に対応する表示閾値を下回る場合で、かつ、酸素の濃度が表示閾値を下回る状態が非表示判断時間継続した場合に、第２の表示状態に切り替わるように構成されている。
【００４８】
ここで、表示対象ガスが１種の場合には、図５に示すように、１種の表示対象ガスの検知結果のみが拡大表示される第２の表示状態になる。また、表示対象ガスが２種の場合には、図６または図７に示すように、２種の表示対象ガスの検知結果が同時に拡大表示される第２の表示状態になる。また、表示対象ガスが３種または４種の場合には、図５に示すような１種の表示対象ガスの検知結果が拡大表示される状態が、表示対象ガス毎に切り替わる第２の表示状態になる。
【００４９】
次に、図９を参照して、本実施形態の警報器１００における表示部３の表示制御処理について具体的に説明する。なお、この制御処理は、制御部８によって行われる。
【００５０】
まず、ステップＳ１において、前回のガスの検知結果取得から所定の時間経過したか否かを判断するとともに、所定の時間経過するまでこの判断を継続する。そして、所定の時間経過したと判断した場合には、ステップＳ２おいて、ガス検知処理として、センサ部２から４種のガスの検知結果が取得されるとともに、各々のガスに対応する閾値（第１（第２）警報閾値および表示閾値）が記憶部９から読み出される。
【００５１】
そして、ステップＳ３において、４種のガスのうち酸素を除く各々のガスにおいて、濃度が対応する第１の警報閾値を超えるか否かが判断されるとともに、酸素において、濃度が対応する第１の警報閾値を下回るか否かが判断されることによって、警報対象ガスがあるか否かが判断される。警報対象ガスがあると判断された場合には、ステップＳ４において、警報処理が行われる。なお、警報器１００では、警報処理として、ＬＥＤ部４のＬＥＤ４１〜４４のうち、警報対象ガスに対応するＬＥＤを点灯または点滅させること、警報ランプ部５の赤色ＬＥＤを点灯または点滅させること、および、ブザー部７により、ブザー音を発生させることなどが行われる。
【００５２】
その後、ステップＳ５において、表示部３において図８に示す警報表示状態で警報対象ガスの検知結果が拡大表示されて、ステップＳ１に戻る。なお、警報表示状態は、警報状態が解除されるまで継続される。つまり、警報表示状態では、ユーザによって表示対象ガスが選択された場合や、表示範囲を超えた表示対象ガスが存在する場合であっても、表示部３の表示は警報対象ガスの検知結果が拡大表示される警報表示状態で維持される。
【００５３】
また、ステップＳ３において、警報対象ガスがないと判断された場合には、ステップＳ６〜Ｓ１５において、表示対象ガスの検知結果を拡大表示するか否かの表示制御処理が行われる。
【００５４】
具体的には、まず、ステップＳ６において、新たな表示対象ガスがユーザにより選択されたか否かが判断される。新たな表示対象ガスがユーザにより選択されていないと判断された場合には、ステップＳ８に進む。新たな表示対象ガスがユーザにより選択されたと判断された場合には、表示対象ガスおよび非表示対象ガスがユーザの選択によって変更される。そして、ステップＳ７において、変更された表示対象ガス数が記憶部９に記録される。そして、ステップＳ８に進む。これにより、ステップＳ６およびＳ７において、ユーザの選択に基づいて表示対象ガスおよび非表示対象ガスが定められる。
【００５５】
次に、ステップＳ８において、非表示対象ガスであるガスの濃度が対応する表示範囲内か否かが判断される。なお、複数の非表示対象ガスが存在する場合には、各々、対応する表示範囲内か否かが判断される。非表示対象ガスの濃度が表示範囲を超えると判断された場合には、ステップＳ９において、表示対象ガスであるガスの濃度が対応する表示範囲を超えるか否かが判断される。表示対象ガスの濃度が表示範囲を超えると判断された場合には、ステップＳ１０において、表示対象ガスの濃度が表示範囲を超える状態が非表示判断時間継続しているか否かが判断される。表示対象ガスの濃度が表示範囲を超える状態が非表示判断時間継続していると判断された場合には、表示対象ガスが非表示対象ガスになったと判断される。なお、複数の表示対象ガスが存在する場合には、各々、表示対象ガスが非表示対象ガスになったか否かが判断される。そして、ステップＳ１１において、表示対象ガス数が減少したことが記憶部９に記録される。その後、ステップＳ１２に進む。これにより、ステップＳ８〜Ｓ１０において、ガスの濃度に基づいて表示対象ガスおよび非表示対象ガスが定められる。
【００５６】
なお、ステップＳ９において、表示対象ガスの濃度が表示範囲内であると判断された場合、または、ステップＳ１０において、表示対象ガスの濃度が表示範囲を超える状態が非表示判断時間継続していないと判断された場合には、そのままステップＳ１２に進む。
【００５７】
そして、ステップＳ１２において、記憶部９に記録されている表示対象ガス数が最大拡大表示数（２つ）を超えるか否かが判断される。表示対象ガス数が最大拡大表示数以下であると判断された場合（表示部３に拡大表示可能な表示対象ガス数である場合）には、ステップＳ１３において、表示部３に表示対象ガスの検知結果が拡大表示される第２の表示状態（図５または図６参照）で表示されるとともに、表示対象ガス数が最大拡大表示数を超えるまで第２の表示状態が維持される。そして、ステップＳ１に戻り、この制御処理が繰り返される。
【００５８】
また、ステップＳ１２において、表示対象ガス数が最大拡大表示数を超えると判断された場合（表示部３に拡大表示可能な表示対象ガス数を超えた場合）には、ステップＳ１４において、表示対象ガス数が最大拡大表示数を超えると新たに判断されてから拡大表示時間（たとえば、１分など）経過したか否かが判断される。拡大表示時間経過していないと判断された場合には、ステップＳ１３において、表示部３に第２の表示状態（図５参照）で表示される。また、ステップＳ１４において、拡大表示時間経過したと判断された場合には、第１の表示状態（図４参照）で表示される。この結果、表示部３に拡大表示可能な表示対象ガス数を超えた場合には、拡大表示時間だけ表示対象ガスの検知結果が表示部３に拡大表示される第２の表示状態に切り替えられるとともに、拡大表示時間経過後には、４種のガスの検知結果が同時に表示部３に表示される第１の表示状態に戻される。そして、ステップＳ１に戻り、この制御処理が繰り返される。なお、拡大表示時間は、本発明の「第２時間」の一例である。
【００５９】
また、ステップＳ８において、非表示対象ガスの濃度が表示範囲内であると判断された場合には、非表示対象ガスが表示対象ガスになったと判断される。そして、ステップＳ１６において、表示対象ガス数が増加したことが記憶部９に記録される。その後、ステップＳ１７において、ステップＳ１２と同様に、記憶部９に記録されている表示対象ガス数が最大拡大表示数を超えるか否かが判断される。表示対象ガス数が最大拡大表示数を超えると判断される場合には、４種のガスの各々の検知結果が同時に表示部３に表示される第１の表示状態で表示される。この結果、第２の表示状態において、非表示対象ガスの濃度が表示範囲内になった場合に第１の表示状態に戻ることによって、既に表示対象ガスであったガスの検知結果に加えて新たに表示範囲内になった非表示対象ガスの検知結果も表示部３に表示される。そして、ステップＳ１に戻り、この制御処理が繰り返される。
【００６０】
また、ステップＳ１７において、表示対象ガス数が最大拡大表示数以下であると判断される場合には、ステップＳ１３に進み、第２の表示状態で表示される。そして、ステップＳ１に戻り、この制御処理が繰り返される。
【００６１】
本実施形態では、以下のような効果を得ることができる。
【００６２】
本実施形態では、上記のように、所定のガスの濃度が表示範囲を超える場合に、所定のガス（非表示対象ガス）の検知結果は表示部３に表示されずに非表示対象ガス以外の表示対象ガスの検知結果が表示部３に拡大表示される第２の表示状態に切り替わるように構成する。これにより、非表示対象ガスの濃度が表示範囲を超えており、ユーザに非表示対象ガスの検知結果を示して濃度を認識させる必要性が低い場合には、非表示対象ガスを表示せずに表示対象ガスの検知結果を表示部３に拡大表示することができるので、ユーザに濃度を認識させる必要性の高い表示対象ガスの検知結果を認識させやすくすることができる。
【００６３】
また、本実施形態では、表示対象ガスをユーザが選択した場合に、第２の表示状態に切り替わるように構成することによって、ユーザ自身が濃度を認識する必要性の高いと判断した表示対象ガスの検知結果をユーザに認識させやすくすることができる。
【００６４】
また、本実施形態では、第２の表示状態において、所定のガス（非表示対象ガス）の濃度が表示範囲内になった場合には、表示対象ガスの検知結果に加えて、非表示対象ガスであった所定のガスの検知結果も表示部３に表示される第１の表示状態に戻るように構成する。これにより、表示部３に表示されていない非表示対象ガスの濃度が表示範囲内になってユーザに認識させる必要が生じる程度まで大きくなった場合に、所定のガスの検知結果が表示部３に表示される第１の表示状態に戻すことができるので、ユーザに濃度を認識させる必要性がある程度高くなった所定のガスの検知結果を認識させることができる。
【００６５】
また、本実施形態では、検知される所定のガスの濃度が表示範囲を超える場合が非表示判断時間継続した場合に、第２の表示状態に切り替わるように構成する。これにより、ユーザに所定のガスの濃度を認識させる必要性が低いことが十分に確認された後で第２の表示状態に切り替えることができるので、一時的な濃度の変動に起因して濃度を認識させる必要性の高いガスの検知結果が表示部３に表示されなくなるのを抑制することができる。
【００６６】
また、本実施形態では、表示部３は、表示対象ガスの数が表示領域の複数のセグメントを組み合わせて拡大表示可能な数以下である場合には、結果表示領域３１ａ〜３４ａの複数のセグメント３ｂを組み合わせて拡大表示可能なガスの検知結果の数（拡大表示可能数）を超える場合には、拡大表示時間の期間だけ第２の表示状態に切り替わるように構成する。このように構成すれば、表示対象ガスの検知結果を同時に拡大表示することができる場合には、表示対象ガスの検知結果を拡大表示するとともに拡大表示を維持することによって、ユーザに濃度を認識させる必要性の高い表示対象ガスの検知結果を認識させやすくすることができる。また、表示対象ガスの検知結果を同時に拡大表示することができない場合には、拡大表示時間だけ表示対象ガスの検知結果を拡大表示してユーザに表示対象ガスの検知結果を容易に認識させつつ、拡大表示時間の期間経過後には、表示対象ガスを含む全てのガスの検知結果を表示部３に同時に表示することにより、全ての表示対象ガスの検知結果をユーザに同時に認識させることができる。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６８】
たとえば、上記実施形態では、表示部３を、４種のガスの検知結果を同時に表示する第１の表示状態と表示対象ガスの検知結果を拡大表示する第２の表示状態とで表示可能なように構成した例を示したが、本発明はこれに限られない。本発明では、たとえば、表示部を、４種以外の複数種のガス（たとえば、６種のガス）の検知結果を同時に表示する第１の表示状態と第２の表示状態とで表示可能なように構成してもよい。
【００６９】
また、上記実施形態では、警報器１００において、ユーザにより所定のガス以外のガスが表示対象ガスとして選択された場合に第２の表示状態に切り替わるとともに、４種のガスのうちの所定のガスの濃度が所定のガスに対応する表示範囲を超える場合に第２の表示状態に切り替わる例を示したが、本発明はこれに限られない。本発明では、ユーザにより所定のガス以外のガスが表示対象ガスとして選択された場合にのみ第２の表示状態に切り替わるように構成してもよい。また、４種のガスのうちの所定のガスの濃度が所定のガスに対応する表示範囲を超える場合にのみ第２の表示状態に切り替わるように構成してもよい。
【００７０】
また、上記実施形態では、４種のガスのうちの所定のガスの濃度が表示範囲を超える状態が非表示判断時間継続した場合に、第２の表示状態に切り替わる例を示したが、本発明はこれに限られない。本発明では、所定のガスの濃度が表示範囲を超える状態が所定の検知回数（たとえば、１分毎にガスの検知処理を行う場合には、２４００回）継続した場合に、第２の表示状態に切り替わるように構成してもよい。また、所定のガスの濃度が表示範囲を超える状態になったと判断された際に、すぐに第２の表示状態に切り替わるように構成してもよい。これにより、より迅速に、ユーザに濃度を認識させる必要性の高い表示対象ガスの検知結果を認識させることが可能である。
【００７１】
また、上記実施形態では、表示部３が、所定の位置に各々配置された複数のセグメント３ｂから構成される例を示したが、本発明はこれに限られない。本発明では、表示部をセグメント以外から構成してもよい。たとえば、複数の微細な画素がマトリックス状に配置された一般的な表示部を用いてもよい。これにより、容易に、警報対象ガスまたは校正対象ガスの検知結果や、異常の情報を拡大表示することが可能である。
【００７２】
また、上記実施形態では、第１の表示状態から第２の表示状態に切り替わる際の所定のガスの濃度の判断基準である「第１の範囲」と、第２の表示状態から第１の表示状態に切り替わる際の所定のガスの濃度の判断基準である「第２の範囲」とを、同じ範囲（表示範囲）にした例を示したが、本発明はこれに限られない。本発明では、第１の範囲と第２の範囲とを異ならせてもよい。たとえば、濃度が大きくなるにしたがって危険性が大きくなるガスの場合には、第２の範囲の上限値を第１の範囲の上限値よりも小さな値に設定してもよい。この際、第１の範囲の上限値は、第１の警報閾値以下である必要がある。また、濃度が小さくなるにしたがって危険性が大きくなるガスの場合には、第２の範囲の下限値を第１の範囲の下限値よりも大きな値に設定してもよい。この際、第１の範囲の下限値は、第１の警報閾値以上である必要がある。
【００７３】
また、上記実施形態では、非表示対象ガスの濃度が表示範囲を超えると判断された場合において、表示対象ガス数が最大拡大表示数を超える場合に第１の表示状態で表示され、示対象ガス数が最大拡大表示数以下である場合に第２の表示状態で表示される例を示したが、本発明はこれに限られない。本発明では、非表示対象ガスの濃度が表示範囲を超えると判断された場合には、最大拡大表示数を考慮せずに、第１の表示状態で表示するように構成してもよい。
【００７４】
また、上記実施形態では、第２の表示状態において、表示対象ガスが２種の場合には、２種の表示対象ガスの検知結果が同時に拡大表示される例を示したが、本発明はこれに限られない。本発明では、表示対象ガスが２種の場合であっても表示対象ガスが３種または４種の場合と同様に、第２の表示状態において、１種の表示対象ガスの検知結果が拡大表示される状態が表示対象ガス毎に切り替わるように構成してもよい。
【００７５】
また、上記実施形態では、警報器１００が４種のガスの各々に対応する４つのセンサ２１〜２４を含むセンサ部２と、４種のガスの検知結果を同時に表示可能な表示部３とを備える例を示したが、本発明はこれに限られない。本発明では、表示部は４種のガスの検知結果を同時に表示可能である一方、センサ部が２種以下のガスしか検知することができない場合には、ユーザの選択により、センサ部が検知することができないガスの検知結果は表示せずに、検知することが可能なガスの検知結果のみを拡大表示するように構成してもよい。
【００７６】
また、上記実施形態において、所定のガスの濃度が表示範囲を超えることにより所定のガスが非表示対象ガスになる場合に、所定のガスが非表示対象ガスになる旨の通知をユーザに行うように構成してもよい。この際、表示部に所定のガスが非表示対象ガスになる旨を表示したり、ＬＥＤ部の非表示対象ガスに対応するＬＥＤを点滅させたりすることにより、通知を行うことが可能である。
【００７７】
また、上記実施形態では、表示対象ガスの検知結果が拡大表示される第２の表示状態において、拡大表示されたガスに対応するＬＥＤ部４のＬＥＤ４１〜４４を点灯または点滅させる例を示したが、本発明はこれに限られない。本発明では、第２の表示状態において、ＬＥＤ部の非表示対象ガスに対応するＬＥＤを点滅させたり、バックライトを点滅させたりすることにより、非表示対象ガスが存在する旨の通知を行うように構成してもよい。
【００７８】
また、上記実施形態では、警報対象ガスの数が拡大表示可能数を超える場合には、所定の期間だけ拡大表示状態になり、所定の期間経過後に第１の表示状態に切り替わるように構成した例を示したが、本発明はこれに限られない。本発明では、警報対象ガスの数が拡大表示可能数を超える場合には、すぐに第１の表示状態に切り替わるように構成してもよい。
【００７９】
また、上記実施形態では、ユーザが種々の指示を行うことが可能な操作部６を操作することによって、４種のガスのうち表示部３に検知結果を表示するガス（表示対象ガス）を選択可能なように構成した例を示したが、本発明はこれに限られない。本発明では、表示対象ガスを選択するための専用の操作部（ボタン部）を設けてもよい。また、２種の表示対象ガスを選択した場合には、２種の表示対象ガスの検知結果を同時に拡大表示する（図６および図７参照）か、または、１種の表示対象ガスの検知結果を交互に拡大表示する（図５参照）かを選択可能に構成してもよい。
【００８０】
また、上記実施形態では、表示対象ガス数が最大拡大表示数を超えると判断された場合には、拡大表示時間だけ表示対象ガスの検知結果が表示部３に拡大表示される第２の表示状態に切り替えられるとともに、拡大表示時間経過後には、４種のガスの検知結果が同時に表示部３に表示される第１の表示状態に戻される例を示したが、本発明はこれに限られない。本発明では、一度第２の表示状態に切り替えられたら、第１の表示状態に戻された後、所定時間経過しないと第２の表示状態に切り替えることができないように構成してもよい。さらに、本発明では、表示対象ガス数が最大拡大表示数を超えると判断された場合には、第２の表示状態に切り替えずに第１の表示状態を維持してもよい。
【００８１】
また、上記実施形態では、警報表示状態においては、ユーザによって表示対象ガスが選択された場合や、表示範囲を超えた表示対象ガスが存在する場合であっても、表示部３の表示は警報対象ガスの検知結果が拡大表示される警報表示状態で維持される例を示したが、本発明はこれに限られない。本発明では、警報表示状態においても、ユーザによって表示対象ガスが選択された場合や、表示範囲を超えた表示対象ガスが生じた場合には、表示部の表示を警報表示状態から第１の表示状態や２種のガスが同時に表示される第２の表示状態などに切り替えてもよい。この際、警報対象ガスを含む表示対象ガスが３種以上である場合に、４種のガスの検知結果が同時に表示部に表示される第１の表示状態に切り替えるのが好ましく、警報対象ガスを含む表示対象ガスが２種である場合に、２種のガスの検知結果が同時に表示される第２の表示状態に切り替えるのが好ましい。また、上記場合には、所定の時間だけ第１の表示状態に切り替えるとともに、所定の時間経過後には、警報表示状態に戻るように構成してもよい。さらに、一度第１の表示状態に切り替えられたら、警報表示状態に戻された後、所定時間経過しないと第１の表示状態に切り替えることができないように構成してもよい。
【００８２】
また、上記実施形態では、警報器１００が検知可能な４種のガスとして、可燃性ガス、酸素、硫化水素および一酸化炭素を示したが、本発明はこれに限られない。本発明では、警報器をオゾンやアンモニアなどの他のガスを検知可能なように構成してもよい。この際、濃度が大きくなるにしたがって危険性が大きくなるガスの場合には、可燃性ガス、硫化水素および一酸化炭素と同様に、第１（第２）の警報閾値および表示閾値が濃度の上限値として設定される。また、濃度が小さくなるにしたがって危険性が大きくなるガスの場合には、酸素と同様に、第１（第２）の警報閾値および表示閾値が濃度の下限値として設定される。
【符号の説明】
【００８３】
２  センサ部（ガス検知部）
３  表示部
３ｂ  セグメント
３１  可燃性ガス表示領域（表示領域）
３２  Ｏ２表示領域（表示領域）
３３  Ｈ２Ｓ表示領域（表示領域）
３４  ＣＯ表示領域（表示領域）
１００  警報器
【図１】
0006449630.tif 000002
【図２】
0006449630.tif 000003
【図３】
0006449630.tif 000004
【図４】
0006449630.tif 000005
【図５】
0006449630.tif 000006
【図６】
0006449630.tif 000007
【図７】
0006449630.tif 000008
【図８】
0006449630.tif 000009
【図９】
0006449630.tif 000010